(57)【特許請求の範囲】
【請求項１】
フェライトコアが設けられた端子金具と、前記端子金具が収容されたコネクタハウジングと、を備えた、ジョイントコネクタにおいて、
前記端子金具は、バスバと、前記バスバの長手方向に間隔を空けて当該バスバから延長された複数本の針状端子部と、を備え、
前記フェライトコアは、前記針状端子部の基端部側に設けられた第一フェライトコアと、前記針状端子部の中間部側に設けられた第二フェライトコアと、を備え、かつ、前記第一フェライトコアと前記第二フェライトコアとが、前記複数本の針状端子部のそれぞれに交互に設けられ、
前記コネクタハウジングには、前記第一フェライトコアが前記針状端子部の基端部側に、前記第二フェライトコアが前記針状端子部の中間部側に、それぞれ位置するようにこれらの前記第一フェライトコアと前記第二フェライトコアとを位置決めする第二インナハウジングが設けられていることを特徴とするジョイントコネクタ。
【請求項２】
フェライトコアが設けられた端子金具と、前記端子金具が収容されたコネクタハウジングと、を備えた、ジョイントコネクタにおいて、
前記端子金具は、バスバと、前記バスバの長手方向に間隔を空けて当該バスバから延長された複数本の針状端子部と、を備え、
前記フェライトコアは、前記針状端子部の基端部側に設けられた第一フェライトコアと、前記針状端子部の中間部側に設けられた第二フェライトコアと、を備え、かつ、前記第一フェライトコアと前記第二フェライトコアとが、前記複数本の針状端子部のそれぞれに交互に設けられ、
前記コネクタハウジングは、前記端子金具が設けられるインナハウジングと、前記インナハウジングを収容するインナハウジング収容室が設けられたアウタハウジングと、を備え、
前記インナハウジングは、前記端子金具のバスバが収容されるバスバ収容室と当該端子金具の針状端子部の基端部側が挿通される共に前記第一フェライトコアが収容される第一フェライト収容室とが設けられた第一インナハウジングと、前記針状端子部の中間部側が挿通されると共に前記第二フェライトコアが収容される第二フェライト収容室が設けられた第二インナハウジングと、を備え、
前記第一フェライト収容室と前記第二フェライト収容室とは、前記複数本の針状端子部のそれぞれに交互に設けられ、
前記第二インナハウジングには、前記第一フェライト収容室に向かって突出され且つ前記針状端子部が貫通する貫通孔が開孔された第一突出部が設けられ、且つ、  前記インナハウジング収容室には、前記第二フェライト収容室に向かって突出され且つ前記針状端子部が貫通する貫通孔が開孔された第二突出部が設けられていることを特徴とするジョイントコネクタ。
【請求項３】
前記針状端子部同士の間隔が、汎用コネクタの端子間隔に形成されていることを特徴とする請求項１又は請求項２に記載のジョイントコネクタ。
【発明の詳細な説明】
【技術分野】
【０００１】
本発明は、ジョイントコネクタに関する。
【背景技術】
【０００２】
自動車には、ＣＡＮ（Ｃｏｎｔｒｏｌ  Ａｒｅａ  Ｎｅｔｗｏｒｋ）通信によって、制動装置やエンジンなどの状態、車両速度や故障診断等の情報を転送するためのワイヤハーネスが配索されている。この種のワイヤハーネスは、複数のサブハーネスが電気的に接続されている。サブハーネスには、回路の分岐などを行うジョイントコネクタが設けられている。
【０００３】
ジョイントコネクタは、前述したＣＡＮ通信によって前記自動車に搭載された各種電装品を制御しており、ノイズの輻射などの信号伝送に及ぼす悪影響を軽減するために、信号に重畳されるノイズを除去するフェライトが設けられている（例えば、特許文献１〜特許文献３参照。）。
【０００４】
特許文献１〜特許文献３などに示されたジョイントコネクタは、他のコネクタと嵌合するコネクタハウジングと、前記コネクタハウジングに収容され且つ前記他のコネクタの端子に電気的に接続する端子金具と、を備えている。端子金具は、導電性の板金から構成され、棒状のバスバと、前記基部から延長され且つ前記他のコネクタの前記端子に接続される複数本の針状端子部と、を備えている。端子金具には、前記針状端子部に貫通された前述したフェライトが設けられている。
【先行技術文献】
【特許文献】
【０００５】
【特許文献１】特開２００８−２１８０３８号公報
【特許文献２】特開２００８−１３１３２７号公報
【特許文献３】特開２０１０−１７０９８５号公報
【発明の概要】
【発明が解決しようとする課題】
【０００６】
前述した特許文献１に示された従来のジョイントコネクタは、フェライトに針状端子部を貫通させる貫通孔が複数開孔されており、構造が複雑となるという問題があった。また、フェライトの構造が複雑となるため、厳密な寸法管理を行わなければならず、費用がかかるという問題があった。さらには、コネクタの極数毎に、専用形状のフェライトを用意しなければならないという問題があった。
【０００７】
特許文献２および特許文献３などに示された従来のジョイントコネクタは、針状端子部にフェライトが設けられているため、既存の汎用コネクタの端子間隔よりも前記針状端子部の間隔が広くなり、ジョイントコネクタが前述した汎用コネクタよりも大型となるという問題があった。
【０００８】
本発明は、かかる問題を解決することを目的としている。即ち、本発明は、フェライトを貫通する針状端子部の間隔を既存の汎用コネクタの端子間隔と同じ間隔とし、前記既存の汎用コネクタに電気的に接続できる汎用性を備え、小型化されたジョイントコネクタを提供することを目的とする。
【課題を解決するための手段】
【０００９】
前記課題を解決し目的を達成するために、請求項１に記載された発明は、フェライトコアが設けられた端子金具と、前記端子金具が収容されたコネクタハウジングと、を備えた、ジョイントコネクタにおいて、前記端子金具は、バスバと、前記バスバの長手方向に間隔を空けて当該バスバから延長された複数本の針状端子部と、を備え、前記フェライトコアは、前記針状端子部の基端部側に設けられた第一フェライトコアと、前記針状端子部の中間部側に設けられた第二フェライトコアと、を備え、かつ、前記第一フェライトコアと前記第二フェライトコアとが、前記複数本の針状端子部のそれぞれに交互に設けられ、前記コネクタハウジングには、前記第一フェライトコアが前記針状端子部の基端部側に、前記第二フェライトコアが前記針状端子部の中間部側に、それぞれ位置するようにこれらの前記第一フェライトコアと前記第二フェライトコアとを位置決めする第二インナハウジングが設けられていることを特徴とするジョイントコネクタである。
【００１０】
請求項２に記載された発明は、フェライトコアが設けられた端子金具と、前記端子金具が収容されたコネクタハウジングと、を備えた、ジョイントコネクタにおいて、前記端子金具は、バスバと、前記バスバの長手方向に間隔を空けて当該バスバから延長された複数本の針状端子部と、を備え、前記フェライトコアは、前記針状端子部の基端部側に設けられた第一フェライトコアと、前記針状端子部の中間部側に設けられた第二フェライトコアと、を備え、かつ、前記第一フェライトコアと前記第二フェライトコアとが、前記複数本の針状端子部のそれぞれに交互に設けられ、前記コネクタハウジングは、前記端子金具が設けられるインナハウジングと、前記インナハウジングを収容するインナハウジング収容室が設けられたアウタハウジングと、を備え、前記インナハウジングは、前記端子金具のバスバが収容されるバスバ収容室と当該端子金具の針状端子部の基端部側が挿通される共に前記第一フェライトコアが収容される第一フェライト収容室とが設けられた第一インナハウジングと、前記針状端子部の中間部側が挿通されると共に前記第二フェライトコアが収容される第二フェライト収容室が設けられた第二インナハウジングと、を備え、前記第一フェライト収容室と前記第二フェライト収容室とは、前記複数本の針状端子部のそれぞれに交互に設けられ、前記第二インナハウジングには、前記第一フェライト収容室に向かって突出され且つ前記針状端子部が貫通する貫通孔が開孔された第一突出部が設けられ、且つ、  前記インナハウジング収容室には、前記第二フェライト収容室に向かって突出され且つ前記針状端子部が貫通する貫通孔が開孔された第二突出部が設けられていることを特徴とするジョイントコネクタである。
【００１１】
請求項３に記載された発明は、前記針状端子部同士の間隔が、汎用コネクタの端子間隔に形成されていることを特徴とする請求項１又は請求項２に記載のジョイントコネクタである。
【発明の効果】
【００１２】
請求項１に記載された発明によれば、ジョイントコネクタは、針状端子部の基端部側に設けられた第一フェライトコアと、前記針状端子部の中間部側に設けられた第二フェライトコアとが、複数本の前記針状端子部のそれぞれに交互に設けられるため、前記第一フェライトコアと前記第二フェライトコアとの寸法を変更することなく、前記針状端子部同士の端子間隔を縮小することができる。このため、前記針状端子部が形成された端子金具を小型化し、ジョイントコネクタを小型化することができる。
【００１３】
請求項２に記載された発明によれば、ジョイントコネクタは、第一インナハウジングのバスバ収容室に端子金具のバスバを収容すると共に第一フェライト収容室に第一フェライトを収容し、第二インナハウジングの第二フェライト収容室に第二フェライトを収容し、かつ、前記第一フェライト収容室と前記第二フェライト収容室とを複数本の針状端子部のそれぞれに交互に設けたため、比較的に簡易な構造で、フェライトコアの寸法を変更することなく、端子金具の針状端子部同士の端子間隔を縮小することができる。このため、小型で簡易な構造のジョイントコネクタを提供することができる。
【００１４】
請求項３に記載された発明によれば、ジョイントコネクタは、端子金具の複数本の針状端子部同士の間隔が、汎用コネクタの端子間隔に形成されているため、当該汎用コネクタに接続できる汎用性を備える。このため、小型化され且つ汎用性を備えたジョイントコネクタを提供することができる。
【図面の簡単な説明】
【００１５】
【図１】本発明の一実施形態にかかるジョイントコネクタの斜視図である。
【図２】図１に示されたジョイントコネクタのＩＩ−ＩＩ矢視断面図である。
【図３】図１に示されたジョイントコネクタの分解断面図である。
【図４】図１に示されたジョイントコネクタの組み立てを説明する斜視図である。
【図５】図１に示されたジョイントコネクタと他のコネクタとが連結される状態を説明する斜視図である。
【図６】本発明にかかるジョイントコネクタの変形例を示す斜視図である。
【発明を実施するための形態】
【００１６】
以下、本発明の実施形態について、図１〜図６を参照して説明する。
本発明の一実施形態にかかるジョイントコネクタ１は、図１および図２に示すように、サブハーネス６１（図５に示す）の汎用コネクタ６２の端子に電気的に接続する端子金具３と、当該端子金具３を収容し且つ前記汎用コネクタと嵌合するコネクタハウジング２と、を備えている。
【００１７】
端子金具３は、図２および図３に示すように、導電性の板金から構成され、櫛形状に形成されている。端子金具３は、薄板状に形成されたバスバ２８と、前記バスバ２８から当該バスバ２８に直交する方向に延長された複数本（図示例では１１本）の針状端子部２９と、を備えている。端子金具３は、プレス加工等によって成形されている。端子金具３は、図４に示すように、当該端子金具３の厚さ方向に複数枚（図示例では２枚）の端子金具３ａ，３ｂとされており、当該端子金具３ａ，３ｂ同士が平行して配されている。
【００１８】
バスバ２８は、当該バスバの長手方向に沿って複数個（図示例では１０個）の孔３１が等間隔で設けられている。バスバ２８には、当該バスバ２８の長手方向の両端部に、後述する第一インナハウジング６のバスバ収容室１２の内壁に係合する係合突起３２，３２が設けられている。係合突起３２，３２は、前記針状端子部２９側に向かって突出量が徐々に増加して形成されている。
【００１９】
針状端子部２９は、図２および図３に示すように、前記バスバ２８の長手方向に等間隔を空けて設けられていると共に、互いに平行に設けられている。針状端子部２９は、前述した汎用コネクタの雌型端子に嵌入しやすいように、先端部２９ｃが先細形状に形成されている。針状端子部２９は、図１および図２に示すように、前述した汎用コネクタ６２がコネクタハウジング５の嵌合部９に嵌合した際に、当該針状端子部２９が、当該汎用コネクタ６２の端子と電気的に接続する長さに形成されている。針状端子部２９同士の間隔は、前記汎用コネクタ６２の端子間隔に形成されている。
【００２０】
コネクタハウジング２は、図２および図３に示すように、前記端子金具３のバスバ２８を収容するバスバ収容室１２が形成された第一インナハウジング６と、前記第一インナハウジング６に並設される第二インナハウジング７と、前記第一インナハウジング６と前記第二インナハウジング７とを収容するアウタハウジング５と、を備えている。コネクタハウジング２は、ポリ塩化ビニル樹脂などの絶縁性の合成樹脂により形成されている。
【００２１】
第一インナハウジング６は、図４に示すように、バスバ収容室１２に連通し且つ前記端子金具３の針状端子部２９の基端部２９ａ側に設けられる第一フェライトコア１０ａを収容する複数（図示例では６つ）の第一フェライト収容室２１を備えている。第一インナハウジング６は、長手方向の両端部に、後述するアウタハウジング５のインナハウジング収容室３８に形成された係合爪１４，１４に係合する係合突起４０，４０が設けられている。
【００２２】
バスバ収容室１２は、図２〜図４に示すように、前記端子金具３のバスバ２８の前記係合突起３２，３２が係合する幅と、前記２枚の端子金具３ａ，３ｂが平行して収容される奥行きとに形成されている。
【００２３】
第一フェライト収容室２１は、図２および図３に示すように、前記端子金具３の前記バスバ２８の長手方向に平行に複数（図示例では、６つ）設けられていると共に当該長手方向に等間隔で設けられている。第一フェライト収容室２１同士の間には、前記端子金具３の前記針状端子部２９が貫通する貫通孔３７が複数（図示例では５つ）設けられている。第一フェライト収容室２１は、図４に示すように、２枚の前記端子金具３ａ，３ｂのそれぞれの針状端子部２９の各一本が貫通し且つ後述する第一フェライトコア１０ａを収容する長方形状に形成されている。第一フェライト収容室２１は、図示例では、前記端子金具３の一端から奇数番目の針状端子部２９が貫通される。
【００２４】
第二インナハウジング７は、図２および図３に示すように、前記第一インナハウジング６の第一フェライト収容室２１に収容された第一フェライトコア１０ａに当接して当該第一フェライトコア１０ａのガタツキを防止する複数個（図示例では、６つ）の第一突出部２３と、前記第一突出部２３に連通し且つ前記端子金具３の前記針状端子部２９が貫通する複数（図示例では、６つ）の貫通孔２４と、前記貫通孔２４同士の間に設けられ且つ前記端子金具３の前記針状端子部２９が貫通すると共に当該針状端子部２９の中間部２９ｂ側に設けられる第二フェライトコア１０ｂを収容する第二フェライト収容室３６と、を備えている。第二インナハウジング７の長手方向の両端部には、前記アウタハウジング５のインナハウジング収容室の内壁に係合する膨出部２６が設けられている。
【００２５】
第一突出部２３は、図２および図３に示すように、前記第一インナハウジング６の第一フェライト収容室２１に収容された第一フェライトコア１０ａに当接する突出量で形成されている。第一突出部２３は、前記２枚の端子金具３ａ，３ｂのそれぞれの針状端子部２９の各一本が貫通する貫通孔２４の一端に設けられている。なお、第一突出部２３と第一フェライトコア１０ａとは、当接するものを含め、その間隔は適宜調整しても良い。
【００２６】
貫通孔２４は、円形に形成されると共に前記端子金具３の前記針状端子部２９が貫通される直径に形成されている。貫通孔２４は、前記２枚の端子金具３ａ，３ｂのそれぞれの針状端子部２９の各一本が貫通するように、２つ並んで設けられている。
【００２７】
第二フェライト収容室３６は、図２および図３に示すように、前記端子金具３の前記バスバ２８の長手方向に平行に複数（図示例では、５つ）設けられていると共に当該長手方向に等間隔で設けられている。それぞれの第二フェライト収容室３６の両側面には、前述した貫通孔２４が設けられている。第二フェライト収容室３６は、図４に示すように、２枚の前記端子金具３ａ，３ｂのそれぞれの針状端子部２９の各一本が貫通し且つ後述する第二フェライトコア１０ｂを収容する長方形状に形成されている。第二フェライト収容室３６は、図示例では、前記端子金具３の一端から偶数番目の針状端子部２９が貫通される。
【００２８】
アウタハウジング５は、図２および図３に示すように、前述した汎用コネクタと嵌合する嵌合部９と、前述した第一インナハウジング６と第二インナハウジング７とを収容するインナハウジング収容室３８と、を備えている。
【００２９】
嵌合部９は、図３に示すように、断面長方形状の筒状に形成されており、内周面に、前述した汎用コネクタを嵌合する際の取付方向を規定するガイド部１５，１５が形成されている。嵌合部９には、前記汎用コネクタに設けられた図示しない係合手段と係合する係合部が設けられている。
【００３０】
インナハウジング収容室３８は、図３に示すように、前記第一インナハウジング６の両端部に形成された係合突起４０，４０と係合する係合爪１４，１４と、前記第二インナハウジング７の両端部に形成された膨出部２６，２６が押圧する内壁面１３，１３と、前記第二インナハウジング７に当接する押え部１６と、を備えている。
【００３１】
係合爪１４，１４は、図２および図３に示すように、アウタハウジング５の両側面に設けられていると共に、前記係合突起４０，４０の傾斜面に沿って突出量が徐々に増加して形成されている。係合爪１４，１４は、図４に示すように、スリット５１が設けられており、当該係合爪１４，１４が揺動可能に形成されている。
【００３２】
内壁面１３，１３は、当該内壁面１３，１３同士の間隔が前記第二インナハウジング７の幅よりも僅かに幅広に形成され、且つ、当該第二インナハウジング７の前記膨出部２６，２６が前記内壁面１３，１３を押圧する幅に形成されている。
【００３３】
押え部１６は、前記第二インナハウジング７の第二フェライト収容室３６に収容された第二フェライトコア１０ｂのガタツキを防止する複数（図示例では、５つ）の第二突出部１７と、前記第二突出部１７の両側面に設けられ且つ前記端子金具３の針状端子部２９が貫通する複数（図示例では、６つ）の貫通孔１９と、を備えている。
【００３４】
第二突出部１７は、前記第二フェライト収容室３６に収容された前記第二フェライトコア１０ｂに当接する突出量で形成されている。第二突出部１７には、前記端子金具３の一端から偶数番目の針状端子部２９が貫通する貫通孔１８が設けられている。貫通孔１８は、前記針状端子部２９が貫通する直径の円形に形成されている。なお、第二突出部１７と第二フェライトコア１０ｂとは、当接するものを含め、その間隔は適宜調整しても良い。
【００３５】
押え部１６の貫通孔１９は、前記端子金具３の一端から奇数番目の針状端子部２９が貫通すると共に当該針状端子部２９が貫通する直径の円形に形成されている。
【００３６】
フェライトコア１０は、前述した第一フェライトコア１０ａと第二フェライトコア１０ｂとを備えており、図２〜図４に示すように、直方体形状に形成され、２枚の前記端子金具３ａ，３ｂのそれぞれの針状端子部２９が貫通する複数（図示例では、２つ）の貫通孔１１が設けられている。第一フェライトコア１０ａと第二フェライトコア１０ｂとは、高周波ノイズを除去する所謂フェライトコアとされている。第一フェライトコア１０ａと第二フェライトコア１０ｂとは、公知の金属酸化物の強磁性体から構成され、公知の製法によって製造されている。
【００３７】
なお、本発明でいう、第一フェライトコア１０ａと第二フェライトコア１０ｂとは、第一インナハウジング６の第一フェライト収容室２１に収容されるフェライトコアを第一フェライトコア１０ａといい、第二インナハウジング７の第二フェライト収容室３６に収容されるフェライトコアを第二フェライトコア１０ｂという。即ち、第一フェライトコア１０ａと第二フェライトコア１０ｂとは、同一品のフェライトコアが使用されている。
【００３８】
第一フェライトコア１０ａは、前記第一インナハウジング６の第一フェライト収容室２１に収容され、前記端子金具３ａ，３ｂの一端から奇数番目のそれぞれの針状端子部２９が貫通される。第二フェライトコア１０ｂは、前記第二インナハウジング７の第二フェライト収容室３６に収容され、前記端子金具３ａ，３ｂの一端から偶数番目のそれぞれの針状端子部２９が貫通される。
【００３９】
上述の如く構成されたジョイントコネクタ１の組み立てについて、以下に説明する。
ジョイントコネクタ１を構成するアウタハウジング５と、第一インナハウジング６と、第二インナハウジング７と、端子金具３ａ，３ｂと、第一フェライトコア１０ａと、第二フェライトコア１０ｂとは、予めそれぞれ製造される。
【００４０】
図４に示すように、第一インナハウジング６内に端子金具３ａ，３ｂを嵌合して固定し、前記第一インナハウジング６の複数の第一フェライト収容室２１に複数個の第一フェライトコア１０ａを収容する。このとき、前記端子金具３ａ，３ｂの一端から奇数番目のそれぞれの針状端子部２９が前記第一フェライトコア１０ａを貫通する。
【００４１】
続いて、第二インナハウジング７の複数の第一突出部２３の貫通孔２４に前記端子金具３ａ，３ｂの一端から奇数番目のそれぞれの針状端子部２９を貫通させると共に、当該第二ハウジング７の複数の第二フェライト収容室３６の貫通孔２５に当該端子金具３ａ，３ｂの一端から偶数番目のそれぞれの針状端子部２９を貫通させ、前記第一インナハウジング６上に当該第二インナハウジング７を配する。このとき、第一フェライトコア１０ａと第二フェライトコア１０ｂとが前記針状端子部２９の長手方向に間隔を空けて二段に配され、且つ、奇数番目の針状端子部２９が第一フェライトコア１０ａを貫通すると共に偶数番目の針状端子部２９が第二フェライトコア１０ｂを貫通する。このため、同一平面上に複数個のフェライトコアを並設した場合よりも、針状端子部２９同士の間隔を縮めることができる。
【００４２】
続いて、前記第二インナハウジング７の複数の第二フェライト収容室３６に複数個の第二フェライトコア１０ｂを収容する。このとき、前記端子金具３ａ，３ｂの一端から偶数番目のそれぞれの針状端子部２９が前記第二フェライトコア１０ｂを貫通する。
【００４３】
続いて、前記第一インナハウジング６と前記第二インナハウジング７とをアウタハウジング５のインナハウジング収容室３８内に押し込んで当該インナハウジング収容室３８内に固定する。このとき、前記第一インナハウジング６の係合突起４０，４０が前記インナハウジング収容室３８の係合爪１４，１４と係合し、前記第二インナハウジング７の膨出部２６，２６が当該インナハウジング収容室３８の内壁面１３を押圧し、当該第一インナハウジング６と当該第二インナハウジング７とがアウタハウジング５内に確実に固定される。
【００４４】
上述の如く組み立てられたジョイントコネクタ１は、図５に示すように、複数本（図示例では、２２本）の電線６３と当該電線６３の端末に設けられた汎用コネクタ６２（雄型コネクタ）とを備えたサブハーネス６１に接続される。このとき、汎用コネクタ６２の端子間隔と本発明のジョイントコネクタ１の端子金具３の端子間隔とは同じ間隔とされているため、汎用コネクタ６２がジョイントコネクタ１の嵌合部９に嵌合され、両コネクタの端子が電気的に接続される。
【００４５】
前述した実施形態では、ジョイントコネクタ１は、端子金具３ａ，３ｂのそれぞれの針状端子部２９を１１本の２２極としているが、図６に示すように、端子金具３ａ，３ｂのそれぞれの針状端子部２９を１９本の３８極としても良い。また、２２極よりも少ない極数としても良い。このような極数の増減に拘わらず、本発明のジョイントコネクタ１は、フェライトコア１０の寸法は変更されないため、端子金具３の針状端子部２９同士の間隔を変更することなく汎用コネクタ６２と接続することができる。従って、ジョイントコネクタ１の極数は、汎用コネクタ６２に合わせて変更することができる。
【００４６】
本実施形態によれば、ジョイントコネクタ１は、フェライトコア１０が設けられた端子金具３と、前記端子金具３が収容されたコネクタハウジング５と、を備えており、前記端子金具３は、バスバ２８と、前記バスバ２８の長手方向に間隔を空けて当該バスバ２８から延長された複数本の針状端子部２９と、を備え、前記フェライトコア１０は、前記針状端子部２９の基端部２９ａ側に設けられた第一フェライトコア１０ａと、前記針状端子部２９の中間部２９ｂ側に設けられた第二フェライトコア１０ｂと、を備え、かつ、前記第一フェライトコア１０ａと前記第二フェライトコア１０ｂとが、前記複数本の針状端子部２９のそれぞれに交互に設けられている。また、前記針状端子部２９同士の間隔が、汎用コネクタ６２の端子間隔に形成されている。
【００４７】
このため、ジョイントコネクタ１は、針状端子部２９の基端部２９ａ側に設けられた第一フェライトコア１０ａと、前記針状端子部２９の中間部２９ｂ側に設けられた第二フェライトコア１０ｂとが、複数本の前記針状端子部２９のそれぞれに交互に設けられるため、前記第一フェライトコア１０ａと前記第二フェライトコア１０ｂとの寸法を変更することなく、前記針状端子部２９同士の端子間隔を縮小することができる。このため、前記針状端子部２９が形成された端子金具３を小型化し、ジョイントコネクタ１を小型化することができる。
【００４８】
また、ジョイントコネクタ１は、端子金具３の複数本の針状端子部２９同士の間隔が、汎用コネクタ６２の端子間隔に形成されているため、当該汎用コネクタ６２に接続できる汎用性を備える。このため、小型化され且つ汎用性を備えたジョイントコネクタ１を提供することができる。
【００４９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５０】
１  ジョイントコネクタ
２  コネクタハウジング
３  端子金具
５  アウタハウジング
６  第一インナハウジング
７  第二インナハウジング
１０  フェライトコア
１０ａ  第一フェライト
１０ｂ  第二フェライト
１２  バスバ収容室
１７  第二突出部
１８  貫通孔
２１  第一フェライト収容部
２３  第一突出部
２４  貫通孔
２８  バスバ
２９  針状端子部
３６  第二フェライト収容室
【図１】
0005718135.tif 000002
【図２】
0005718135.tif 000003
【図３】
0005718135.tif 000004
【図４】
0005718135.tif 000005
【図５】
0005718135.tif 000006
【図６】
0005718135.tif 000007